(57)【特許請求の範囲】
【請求項１】
光源から出た光が１又は複数の反射板で反射された後原稿に入射し，原稿で反射した光が所定の光路を経て光検出器に入射するように構成され，上記光検出器を構成する各色毎の光検出素子が，上記光検出器における入射光の副走査方向に距離をおいて配置されてなる画像読取装置であって，
前記反射板は，前記光源からの光を原稿台上にセットされた原稿の集光部に集めるように設けられ，
光沢のある反射面を備えた原稿が所定角度傾斜した状態で原稿台上にセットされた状態で，上記原稿の前記集光部以外の箇所から全反射された光が前記各色毎の光検出素子に入射する光路上の前記反射板の反射面に，その部分で反射される光の一部または全部を吸収する光吸収手段が付されてなる画像読取装置。
【請求項２】
前記反射板の反射面に付された光吸収手段が，反射面に貼り付けられたシートである請求項１記載の画像読取装置。
【請求項３】
前記反射板の反射面に付された光吸収手段が，反射面に塗布された塗料である請求項１記載の画像読取装置。
【請求項４】
前記反射板の反射面に付された光吸収手段が，反射面が所定の色彩に染め付けられていることである請求項１記載の画像読取装置。
【請求項５】
請求項１〜４のいずれかに記載の画像読取装置を備えてなる画像形成装置。
【発明の詳細な説明】
【技術分野】
【０００１】
本発明は，光源から出た光が１又は複数の反射板で反射された後原稿に入射し，原稿で反射した光が所定の光路を経て光検出器に入射するように構成され，上記光検出器を構成する各色毎の光検出素子が，上記光検出器における入射光の副走査方向に距離をおいて配置されてなる画像読取装置及び画像形成装置に関するものである。
【背景技術】
【０００２】
従来，上記のような光源から出た光が１又は複数の反射板で反射された後原稿に入射し，原稿で反射した光が所定の光路を経て光検出器に入射するように構成され，上記光検出器を構成する各色毎の光検出素子が，上記光検出器における入射光の副走査方向に距離をおいて配置されてなる画像読取装置の一例として，特許文献１が知られている。
この特許文献１に記載された画像読取装置は，上記光検出器を構成する各色毎の光検出素子の感度のばらつきを吸収するために，上記光路上に各色の光の強度を補正する手段を設けて，光検出素子における出力強度を調整する点に特徴があり，これにより，出力画像の色味を補正することができる点で，優れたものである。
一方，画像読取装置では，原稿に光を照射する露光装置の露光量が適切でない状態で原稿が読み取られると，読み取られた画像の品質が低下する。
例えば，上記所定の光路が何らかの事情によって変化することで，所定の光路以外から外乱となる外乱光が各色毎の光検出素子に侵入すると，上記光検出素子が原稿の正確な画像を検出できない状況が生じ，読み取られた画像の品質が低下する。
上記のような外乱光が侵入する場合の１つとして，光沢のある原稿がコンタクトガラス上にセットされた場合が挙げられる。
たとえば，図１は，光源から出た光が１又は複数の反射板で反射された後原稿に入射し，原稿で反射した光が所定の光路を経て光検出器に入射するように構成され，上記光検出器を構成する各色毎の光検出素子が，入射する光の副走査方向に距離をおいて配置されてなる画像読取装置の一例における光源近傍の光路を示す概念図である。
図に示す画像読取装置Ｙのように，コンタクトガラス２の下方に冷陰極線管などの光源４が紙面に直角の方向に配置され，この光源４からの光が，コンタクトガラス２上の原稿６に照射される。光源４の光を原稿６に収束させるために，光源４の近傍に反射板Ａ及びＢが配置される。
反射板Ａ，Ｂは，光源４からの光を上記原稿６の集光部８に集めるような曲率に形成されている。
従って，原稿６に光沢がない通常の読み取り状態では，原稿６に照射された光は原稿６の読取面上で乱反射する。このように原稿６の読取面上で乱反射する光のうちでもっとも強いのは上記集光部８で反射した光である。この集光部８からの反射光は，図に一点鎖線で示すように，上記集光部８から第１〜第４のミラーＭ１，Ｍ２，Ｍ３，Ｍ４及びレンズＬを経てＣＣＤなどの光検出器１２に入射する。この時，原稿がカラー原稿の場合，集光部８からの反射光には，Ｒ（レッド），Ｇ（グリーン），Ｂ（ブルー）の３つの光要素が含まれるが，これらの異なる光要素のミラーＭ１，Ｍ２，Ｍ３，Ｍ４上での屈折率が異なるので，それぞれの光要素の光路は，光検出器１２上における副走査方向に異なった光路をたどることになる。
このように，上記光検出器１２に入射した光の各光要素は，上記光検出器１２上の副走査方向に異なる部分に照射されるので，上記光検出器１２は上記ＲＧＢの色をそれぞれ検出する複数の光検出素子から構成され，それらの光検出素子が，入射する光の副走査方向に距離をおいて配置されている。これによって，原稿６の集光部８から反射した光の量が，この光を構成する各光要素ごとに検出される。
上記ＲＧＢの光要素の屈折率は，Ｒがもっとも大きく，次いでＧで，最小はＢである。従って，上記光検出素子は，光検出器１２内で上記ＲＧＢの順で，入射する光の副走査方向に距離をおいて配置されている。
【０００３】
上述の光検出の原理は，上記のように光沢のない原稿上の画像を検出する場合に適切に成立するものであり，上記集光部８における反射光以外の部分からの反射光の照度は集光部８からの反射光と比べるとわずかであるために，集光部８からの反射光以外からの光量はほとんど無視することができる。
しかしながら，原稿面が光沢面である場合には，事情が異なる。
即ち，図２に示した原稿６の原稿面が光沢がある場合であって，原稿６がブック物のようにコンタクトガラス２に対して傾いている場合には，光源４から出た光のうち，例えば，反射板Ａの特定の箇所１０で反射した破線で示す光が原稿６の前記集光部８以外の箇所８ａで反射することが起こりうる。このとき，原稿６が通常の普通紙などのように，光沢がないものであれば，前記のように原稿６からの反射光は乱反射による反射光であるので，その反射光の光量は少なく，特に問題は生じないが，原稿６が光沢のあるものである場合には，原稿面の箇所８ａでの反射光は，全反射となるため，非常に強度の反射光となる。そのため，上記強い反射光が反射板Ａでの反射箇所１０によっては，図２に破線で示すような光路をたどって，光検出器１２に至る場合がある。
本来の画像読み取りは，前記集光部８からの反射光線（実線で示されている）について行われるべきであるが，このような全反射による反射光は乱反射と異なり強い光線であるので，該全反射光が照射された光検出素子からの出力が大きい外乱を含むものとなる。
また，光検出素子の出力特性は，ＲＧＢの光要素に対して一律ではなく，個性があるので，特に出力倍率の大きい光検出素子（一般にＲ光を検出するＲ用光検出素子の出力倍率が大きい）に上記全反射光が照射された場合には，外乱が顕著となる問題がある。
【先行技術文献】
【特許文献】
【０００４】
【特許文献１】特許第３９８６２５１号公報
【発明の概要】
【発明が解決しようとする課題】
【０００５】
従って，本発明は上記事情に鑑みてなされたものであり，その目的とするところは，光沢のある反射面を備えた原稿が所定角度傾斜した状態で原稿台上にセットされた場合であっても，光検出素子の出力に外乱を生じないように配慮された画像読取装置を提供することにある。
【課題を解決するための手段】
【０００６】
上記目的を達成するために本発明は，
光源から出た光が１又は複数の反射板で反射された後原稿に入射し，原稿で反射した光が所定の光路を経て光検出器に入射するように構成され，上記光検出器を構成する各色毎の光検出素子が，上記光検出器における入射光の副走査方向に距離をおいて配置されてなる画像読取装置であって，
光沢のある反射面を備えた原稿が所定角度傾斜した状態で原稿台上にセットされたときに，上記原稿から全反射された光が前記各色毎の光検出素子に入射する光路上の前記反射板の反射面に，その部分で反射される光の一部または全部を吸収する光吸収手段が付されてなる画像読取装置として構成されている。
前記反射板の反射面に付された光吸収手段の一例として，反射面に貼り付けられたシートがあげられる。
さらに，前記反射板の反射面に付された光吸収手段としては，反射面に塗布された塗料のようなものも考えられる。
更に別の例として，前記反射板の反射面に付された光吸収手段が，反射面が所定の色彩に染め付けられているようなものでもよい。
前述の画像読取装置を備えてなる画像形成装置も本発明の範囲である。
【発明の効果】
【０００７】
上記したところから明らかなように，本発明によれば，光源から出た光が１又は複数の反射板で反射された後原稿に入射し，原稿で反射した光が所定の光路を経て光検出器に入射するように構成され，上記光検出器を構成する各色毎の光検出素子が，上記光検出器における入射光の副走査方向に距離をおいて配置されてなる画像読取装置であって，光沢のある反射面を備えた原稿が所定角度傾斜した状態で原稿台上にセットされたときに，上記原稿から全反射された光が前記各色毎の光検出素子に入射する光路上の前記反射板の反射面に，その部分で反射される光の一部または全部を吸収する光吸収手段が付されてなる画像読取装置が提供されるので，光沢のある反射面を備えた原稿が所定角度傾斜した状態で原稿台上にセットされた場合であっても，光検出素子の出力に外乱を生じず，美しい印刷が可能である。
【図面の簡単な説明】
【０００８】
【図１】従来の画像読取装置の概念を示す図。
【図２】本発明の一実施形態にかかる画像読取装置の要部を示す概念図。
【図３】従来の画像読取装置を備えた画像形成装置全体を示す図。
【図４】本発明の一実施形態にかかる画像読取装置の要部を示す概念図。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を用いて本発明の一実施形態にかかる画像読取装置Ｙを備えた画像形成装置１００について説明する。
図１に示すように，画像形成装置１００は，いわゆる胴内排出型のデジタル複写機であって，大きくは，本体ハウジング２０と，その上部に配設された画像読取装置Ｙとから構成されている。画像読取装置Ｙ内には，原稿の画像を電気信号として読み取るための後述する各種機構が設けられ，他方，本体ハウジング２０内には，画像読取装置Ｙで読み取られた原稿画像の電気信号に基づいて用紙に画像を転写するための後述する各種機構が設けられる。
これらの構成要素については，すでに述べたので，図１及び図２を参照されたい。
【００１０】
本体ハウジング２０は，下ハウジング２０ａと，その上方で左側部に沿って位置し画像読取装置Ｙに連結される連結ハウジング２０ｂと，で構成され，下ハウジング２０ａには，用紙を収容し給紙するための給紙部や，用紙上にトナー画像を形成する画像形成部や，用紙上のトナー画像を定着するための定着部等が設けられ，他方，連結ハウジング２０ｂには，定着後の用紙を搬送して排出するための用紙排出部が設けられている。また，画像読取装置Ｙの直下における連結ハウジング２０ｂの右側方には，右側面及び正面に向けて大きく開放された胴内排紙空間２２が形成されており，この胴内排紙空間２２には，連結ハウジング２０ｂの右側面から水平方向に排出される用紙を受け取って積載するための用紙排出トレイ２３が設けられている。
【００１１】
画像読取装置Ｙの上面には，コンタクトガラス２や，正面側に表出した操作パネル（図示せず）が配設されている。更に，画像読取装置Ｙの上方には，コンタクトガラス２における第１画像読取部Ｒ１にシート状の原稿を搬送する原稿搬送装置２７を搭載した原稿押さえ２８が，画像読取装置Ｙの背面にヒンジ部によって開閉自在に支持されている。
原稿押さえ２８は，コンタクトガラス２に対して閉じて原稿の読取動作がなされる閉状態と，コンタクトガラス２に対して開いた開状態とを取り得る。そして，原稿搬送部２７を用いない原稿固定方式では，読み取る毎に原稿押さえ２８を開閉してコンタクトガラス２の第２画像読取部Ｒ２に原稿を１枚ずつ取り替えて読み取りを行う。
【００１２】
原稿搬送装置２７は，複数枚の原稿を整合して積載する原稿ガイド２９ａを備えた原稿給紙トレイ２９と，コンタクトガラス２における第１画像読取部Ｒ１の上方に位置し原稿給紙トレイ２９が突設された原稿カバー３０と，この原稿カバー３０の側方で原稿押さえ２８の上面の一部に直付けで形成された原稿排出トレイ３１とを含み，原稿給紙トレイ２９から原稿カバー３０内を経て原稿排出トレイ３１に至る原稿搬送路ｄが形成されている。
【００１３】
原稿カバー３０内には，原稿搬送路ｄに沿って上流側から順に，ピックアップローラ３２，搬送ローラ対３３，レジストローラ対３４，及び排出ローラ対３５から成る原稿搬送手段が設けられている。これらのうちで搬送ローラ対３３は，駆動ローラ３３ａと分離ローラ３３ｂとから構成されていて，分離ローラ３３ｂは回転負荷が所定トルクを下回る場合のみ駆動ローラ３３ａと逆方向に回転し，回転負荷が所定トルクを上回る場合には駆動ローラ３３ａと従動回転するようになっている。
【００１４】
レジストローラ対３４と排出ローラ対３５の間には，コンタクトガラス２における第１画像読取部Ｒ１に対向して配置され，原稿を第１画像読取部Ｒ１に向けて押圧するための原稿押圧部３６と，第１及び第２画像読取部Ｒ１，Ｒ２の間に配置された白色基準板（白色基準部材）５５と，が設けられている。白色基準板５５は，保持部材５７に嵌め込まれた状態で第１及び第２画像読取部Ｒ１，Ｒ２の間に配置されている。なお，原稿搬送路ｄは搬送ローラ対３３から第１画像読取部Ｒ１に至る間において反転するように湾曲している。
【００１５】
また，原稿搬送路ｄには，原稿の存否を検知するための複数のセンサが適所に設けられている。例えば，原稿給紙トレイ２９の中央部には原稿検知センサＳａが，搬送ローラ対３３の下流側には給紙センサＳｂが，排出ローラ対３５の下流側には排出センサＳｃが，それぞれ設けられている。原稿給紙トレイ２９上にセットされた原稿は，原稿搬送手段によって１枚ずつ順次，原稿搬送路ｄを通して搬送され，第１画像読取部Ｒ１を通過した後に原稿排出トレイ３１上に順次排出される。原稿排出トレイ３１上に排出された原稿はユーザの手によって取り出される。
【００１６】
次に，原稿搬送部２７を用いたシートスルー方式の原稿搬送動作について説明する。シートスルー方式の原稿搬送動作においては，先ず，原稿給紙トレイ２９に画像面を上向きにセットされた複数枚の原稿は，ばね部材３７ａによって上向きに付勢された昇降板３７により，所定の圧力でピックアップローラ３２に押しつけられる。ここで操作パネルのコピー開始ボタンがオンされると，一次給紙駆動手段（不図示）により，ピックアップローラ３２及び搬送ローラ対３３が回転駆動される。
【００１７】
原稿給紙トレイ２９にセットされた原稿は，ピックアップローラ３２によって通常上段の複数枚が搬送ローラ対３３に送られる。搬送ローラ対３３に送られた複数枚の原稿は，分離ローラ３３ｂにより最上の１枚のみが分離されてレジストローラ対３４に向けて搬送される。その際，その原稿の先端が給紙センサＳｂによって検出されてから所定の距離だけその原稿が搬送された後，一次給紙駆動手段の作動停止によって搬送ローラ対３３の駆動ローラ３３ａ及びピックアップローラ３２の回転駆動が停止され一次給紙が終了する。一次給紙された原稿は，その先端がレジストローラ対３４のニップ部に押圧され，且つその先端部に撓みが形成された状態で停止させられる。
【００１８】
一次給紙が終了してから所定時間経過後，二次給紙が開始される。つまり，二次給紙駆動手段（不図示）の作動により，レジストローラ対３４が回転駆動される。原稿は，レジストローラ対３４により，第１画像読取部Ｒ１を経て排出ローラ対３５に向けて搬送された後，最終的には排出ローラ対３５によって原稿排紙トレイ３１上に排出される。その際，排出センサＳcにより原稿の後端通過を検知したことによって，原稿１枚の画像読み取りの完了を検出するようになっている。
【００１９】
ここで排出センサＳｃは，原稿の給紙搬送完了毎に原稿枚数を計数するカウント機能を有しており，原稿検知センサＳ１が後続の原稿を検知していれば，２枚目以降の原稿搬送が上記と同様に続行される。なお，原稿は，第１画像読取部Ｒ１を通過する際に，原稿押圧部３６によってコンタクトガラス２に向けて軽く押圧されながら搬送され，その原稿の画像が第１画像読取部Ｒ１を通じて読み取られるようになっている。
【００２０】
続いて，原稿の画像を電気信号として読み取るための画像読取装置Ｙの構成について，図１，図２及び図４を参照しながら説明する。画像読取装置Ｙのフレーム２１ａ内には，原稿の画像面に向けて走査方向（図２の紙面に直角方向）に光を照射する光源である光源４と，この光源４からの光を効率よく原稿の画像面に与えるための前記反射板ＡおよびＢと，原稿反射光を直接に受けて反射させる第１ミラーＭ１と，この第１ミラー３からの反射光を受けて光検出器１２まで導く第２〜第４のミラーＭ２〜Ｍ４レンズ群（図２参照）と，上記レンズ群で導かれた原稿反射光を受けて電気信号に変換する光検出器１２と，が配設されている。なお，原稿反射光の光路が実線で示されている。
【００２１】
このような構成のもと，光源４から照射されて原稿の画像面で反射した原稿反射光は，第１ミラーＭ１〜第４ミラーＭ４で反射してレンズＬに導入され，レンズで集光されて光検出器１２上に結像する。そして，この光検出器１２で光電変換処理がなされ，原稿画像は電気信号として読み取られる。
【００２２】
続いて，読み取った原稿画像の電気信号に基づいてシートに画像を転写するために，本体ハウジング２０内に設けられた各種機構の構成について，図１を参照しながら以下に説明する。先ず，シートの給紙部について述べる。下ハウジング２０ａの下部には，種々サイズのシート（主として用紙）を収納し，正面から出し入れ可能な給紙カセット４０が配設されていて，この給紙カセット４０に収納されているシートＰは，繰り出しコロ４０ａにより１枚ずつ送り出される。また，下ハウジング２０ａの下部における左側面には，必要に応じて引き倒される開閉可能な手差しトレイ４１が設けられていて，この手差しトレイ４１にセットされているシート（用紙やＯＨＰシート）Ｐ′は，繰り出しコロ４１ａにより１枚ずつ送り出される。
【００２３】
次に，シート上にトナー画像を形成する画像形成部，及びシート上のトナー画像を定着するための定着部について述べる。下ハウジング２０ａ内における給紙カセット４０の上方には，主たる画像形成部を構成する感光体ドラム４２をはじめ，この感光体ドラム４２の周囲に，帯電装置４３，レーザ露光ユニット４４，現像装置４５，転写ローラ４６，及びクリーニング装置４７が配設されている。また，下ハウジング２０ａ内における転写ローラ４６の上方且つ連結ハウジング２０ｂの直下には定着装置４８が配設されている。
【００２４】
感光体ドラム４２は，正帯電性のアモルファスシリコン製であって，駆動時には所定の周速度で図１中時計回りに回転する。感光体ドラム４２の表面は，高電圧が印加された帯電装置４３から発生したコロナ放電によって一様に帯電された後，光検出器１２からの原稿画像の電気信号に基づくレーザ露光ユニット４４からのビーム光の照射によって，所定の明電位と暗電位の部分からなる静電潜像が形成される。
【００２５】
更に，感光体ドラム４２の回転によって，静電潜像は現像位置にまで回転移動する。現像装置４５の構成要素である現像ローラ４５ａは，ステンレス製で内部に固定磁石を有しており，感光体ドラム４２と所定の間隙をもって回転自在に支持され，駆動時には感光体ドラム４２と同一方向に所定の周速度で回転する。現像装置４５内には，例えば体積平均粒径９μｍ（コールターカウンターでの計測によるメジアン径）の正帯電の磁性トナーが充填されており，磁性ブレード（不図示）によって現像ローラ４５ａの表面にトナー薄層が形成される。また，現像ローラ４５ａには，所定の現像バイアス電圧が印加されている。現像領域に達したトナーは，その現像バイアス電圧により現像ローラ４５ａの表面から飛翔して感光体ドラム４２の表面の静電潜像に吸着し，トナー像が形成（現像）される。
【００２６】
ここで，給紙カセット４０（又は手差しトレイ４１）から１枚ずつ繰り出されてレジストローラ対４９に到達したシートＰ（又はＰ′）は，感光体ドラム４２上のトナー像が転写ローラ４６に接近するのに同期して，レジストローラ対４９で搬送タイミングが調整されながら上方に向けて送り出され，搬送路Ｔ１を通じて感光体ドラム４２と転写ローラ４６との間に搬送される。そして，そのシートＰの先端とトナー像の先端が一致して転写ローラ４６を通過することにより，トナー像中のトナーのほとんどがシートＰ上に転写される。
【００２７】
トナー像が転写されたシートＰは定着装置４８へ送られる。定着装置４８は，加熱ローラ４８ａ及び加圧ローラ４８ｂからなる定着ローラ対を有していて，この定着ローラ対によって互いのニップを通過するシートＰ上のトナー顕像を加熱・加圧して定着させ，これによりシートＰには定着された転写画像が形成される。
【００２８】
定着装置４８を通過したシートＰは，そのまま垂直上方に向く垂直搬送路Ｔ２に沿って連結ハウジング２０ｂ内に搬送される。この連結ハウジング２０ｂ内には，垂直搬送路Ｔ２に連結された搬送ローラ対５０，用紙排出トレイ２３にシートＰを排出するための排出ローラ対５１が配設されている。搬送ローラ対５０から送り出されシートＰは，搬送路Ｔ３を通って排出ローラ対５１に達し，排出ローラ対５１から用紙排出トレイ２３へ排出される。
【００２９】
続いて，本発明の画像読取装置Ｙの主要部をなす前記コンタクトガラス１０１の下方に設けられた光学系について，図１及び図２を参照して詳しく説明する。
図に示すように，コンタクトガラス２の下方に冷陰極線管などの光源４が紙面に直角の方向に配置され，この光源４からの光が，コンタクトガラス２上の原稿６に照射される。
画像読取装置Ｙの態様としては，原稿６が停止して光源４が矢印の方向に移動する場合と，光源４が停止して原稿６が移動する場合があるが，本発明はいずれの場合にも適用可能である。
ここに示した例は，原稿が停止して光源４が移動する場合である。原稿面への照度を増加させるために，光源４の光を原稿６に収束させる必要がある。そのために，この実施形態では，光源４の近傍に反射板Ａ及びＢが配置される。反射板Ａ，Ｂは，光源４からの光を上記原稿６の集光部８に集めるような曲率に形成されている。もちろん，反射板はＡ，Ｂいずれか一方でもよく，さらに，Ａ，Ｂ以外の反射板を供えていてもよい。ここでは，２個の反射板Ａ，Ｂを供えた装置について説明する。
【００３０】
反射板Ａ，Ｂの下方には，前記集光部８の直下に設けられた第１ミラーＭ１と，このミラーＭ１で反射された光線をレンズＬに導く３個のミラーＭ２，Ｍ３，Ｍ４が設けられている。これらのミラーＭ１，Ｍ２，Ｍ３，Ｍ４は，走査方向に見た最大サイズの原稿における走査方向の幅よりも長いサイズの長い矩形状をなしていることが多い。
このような画像読取装置では，光源４から出た光が前記反射板Ａ，Ｂで反射されて原稿６に入射し，原稿６で反射した光が所定の光路，即ち，原稿面上の集光部８→ミラーＭ１→Ｍ２→Ｍ３→Ｍ４→レンズＬ）を経て光検出器１２に入射するように構成され，上記光検出器１２を構成する各色（Ｒ，Ｇ，Ｂ）毎の光検出素子が，入射する光の副走査方向に距離をおいて配置されていることにより，各色の光個性要素に分離してそのエネルギーが検出される。
【００３１】
以上述べた構造については，従来の画像読取装置と変わりはない。この実施形態において従来装置と異なる点は，前記反射板Ａ，Ｂの反射面の一部に，その部分で反射される光の強度を減衰させる光吸収手段が設けられている点である。即ち，光沢のある反射面を備えた原稿６が所定角度傾斜した状態で原稿台の一例であるコンタクトガラス２上にセットされたときに，上記原稿６から全反射された光が前記各色毎の光検出素子に入射する光路上の前記反射板Ａ，あるいは（及び）Ｂの反射面に，その部分で反射される光の一部または全部を吸収する光吸収手段が付されてなる点において，前記従来装置とはまったく異なる。
【００３２】
このような光吸収手段は，反射板Ａの拡大斜視図である図４に示すように，反射板Ａの長手方向のほぼ全長にわたって帯状に形成された，長細い矩形状の領域として構成されている。
【００３３】
このような実施形態にかかる画像読取装置１において，光沢がない原稿６がコンタクトガラス２上に置かれた通常の読み取り状態では，原稿に照射された光は原稿面上で乱反射するので，光源４から出て，反射板Ａ，Ｂによって集光部８で集光した光で照らされた部分からの乱反射による反射光は，図に実線で示すように，上記集光部８から第１〜第４のミラーＭ１，Ｍ２，Ｍ３，Ｍ４，レンズＬを経て光検出器１２に入射する。この時，原稿がカラー原稿の場合，集光部８からの反射光には，Ｒ（レッド），Ｇ（グリーン），Ｂ（ブルー）の３つの光要素が含まれるが，これらの異なる光要素のミラー上での屈折率が異なるので，それぞれの光要素の光路は，光検出器１２上における副走査方向に異なった光路をたどることになる。
このように，上記光検出器１２に入射した光の各光要素は，上記光検出器１２上の副走査方向に異なる部分に照射されるので，上記光検出器が上記ＲＧＢの色をそれぞれ検出する複数の光検出素子から構成され，それらの光検出素子が，入射する光の副走査方向に距離をおいて配置されている。これによって，原稿６の集光部８から反射した光が，この光を構成する各光要素ごとに検出される。
上記ＲＧＢの光要素の屈折率は，Ｒがもっとも大きく，次いでＧで，最小はＢである。従って，上記光検出素子は，光検出器１２内で上記ＲＧＢの順で，入射する光の副走査方向に距離をおいて配置されている。
【００３４】
これに対して，原稿面が光沢面の原稿６がコンタクトガラス２上に置かれ，且つ原稿６がブック物のようにコンタクトガラス２に対して傾いている場合を考える。この場合には，光源４から出た光のうち，例えば，反射板Ａの特定の箇所，ここでは図に示す便宜上，図３の８ａの箇所で示す反射箇所８ａで反射した光が，原稿６の反射箇所８ａで反射する場合を考える。このとき，上記反射箇所８ａは，前記のように光沢面であるので，反射箇所８ａでの反射は全反射となる。その結果，上記全反射した光が，前記第１〜第４のミラーＭ１，Ｍ２，Ｍ３，Ｍ４で反射された後，レンズＬを通って光検出器１２のいずれかの光検出素子に入射する反射箇所Ｙ１の位置と反射箇所８ａの傾斜角度が存在する。
上記のような光沢のある原稿面で全反射していずれかの光検出素子に入射する光の光路は，光学系の形状的条件と傾斜する原稿の面の湾曲形状及びその反射箇所８ａの位置が決まれば一義的に決定される。また，原稿の面の湾曲形状及びその反射箇所８ａの位置は，例えば原稿がブック物であれば多少の幅はあるとしてもほぼ一義的に決まるので，それをブック物の想定される形状から計算によって求めることは困難ではない。
従って，上記のようにして計算によって求まる光路の一部である反射箇所８ａの位置に反射率を低下させる処理が施されていれば，原稿面で全反射する光の光量を減少させて，実質的に原稿が普通紙などの乱反射をなす材質である場合と大きく相違しない程度の外乱光のみが，前記光検出素子に到達するようにすることができる。
上記のような反射箇所８ａに施された「反射率を低下させる処理」は本発明における光吸収手段の一例である。
そのような光吸収処理の一例として，図４に示すように反射板Ａの表面に光の反射を妨げる黒色あるいはグレーの長細い印刷箇所１０ａを付しておくことが考えられる。
また，黒色の印刷などに変えて，その表面を粗く仕上げておくことでも，同様の光吸収手段となる。
印刷や粗面仕上げは，量産に向いて，コストを低下させるであろう。
前記のような光吸収手段の別の例としては，反射面に貼り付けられた黒色，グレーなど，あるいは粗面をなすシートや，反射面に塗布された塗料，さらには，反射面を所定の色彩に染め付けておくことなどが考えられる。
これらの処理でも低コスト化が期待できる。
【産業上の利用可能性】
【００３５】
本発明にかかる画像読取装置は，スキャナなどの単独で商品となるものに適用できるが，更に，画像読取装置を備えた複写機，ファクシミリ，あるいはそれらの複合機にも適用可能であることはいうまでもない。
【符号の説明】
【００３６】
２…コンタクトガラス
４…光源
６…原稿
８…集光部
１０…箇所
１２…光検出器
Ｙ…画像読取装置
【図１】
0005453185.tif 000002
【図２】
0005453185.tif 000003
【図３】
0005453185.tif 000004
【図４】
0005453185.tif 000005